【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
所定の駆動方向に動作可能なブラシレスモータであって、
前記駆動方向に垂直な方向に磁化された第１の永久磁石を含む第１の駆動部材と、
前記第１の駆動部材に対向して設けられ、前記駆動方向と平行な方向を軸に巻き回された電磁コイルを含む第２の駆動部材と、
前記電磁コイルに電力を供給する駆動制御回路と、
を備え、
前記電磁コイルは、前記駆動方向と平行な方向を軸として磁束遮蔽部材の周囲に巻き回されており、
前記駆動制御回路は、前記電磁コイルに供給する電流の方向を変更せずに前記電磁コイルに所定の第１の電流方向の駆動電流を供給することによって、前記ブラシレスモータを前記駆動方向に動作させる、ブラシレスモータ。
【請求項２】
請求項１記載のブラシレスモータであって、
前記コイル部として、前記第１の永久磁石を挟んだ両側に第１と第２のコイル部がそれぞれ設けられており、
前記第１のコイル部の前記電磁コイルのうちで前記磁束遮蔽部材よりも前記第１の永久磁石に近い側にある内側コイル部分を流れる電流と、前記第２のコイル部の前記電磁コイルのうちで前記磁束遮蔽部材よりも前記第１の永久磁石に近い側にある内側コイル部分を流れる電流とが、互いに平行な方向に流れるように前記電磁コイルが結線されている、ブラシレスモータ。
【請求項３】
請求項１記載のブラシレスモータであって、さらに、
前記電磁コイルは、前記第１の永久磁石に面した側にある第１のコイル部分と、第１のコイル部分とは前記軸の反対側にある第２のコイル部分と、を有し、
前記磁束遮蔽部材は、前記第１のコイル部分における前記第１の永久磁石のもたらす磁束の発生を許容するとともに、前記第２のコイル部分における前記第１の永久磁石のもたらす磁束密度を、前記第１のコイル部分における前記第１の永久磁石のもたらす磁束密度よりも低下させる、ブラシレスモータ。
【請求項４】
請求項３記載のブラシレスモータであって、
前記磁束遮蔽部材は、前記第２の駆動部材を挟んで前記第１の永久磁石と反対側に設けられた第２の永久磁石であり、
前記第２の永久磁石は、前記第１の永久磁石と互いに同じ極が対向するように設置されている、ブラシレスモータ。
【請求項５】
請求項４記載のブラシレスモータであって、
前記電磁コイルは、空芯コイルか、又は、非磁性体材料で形成されたコア材を有するコイルである、ブラシレスモータ。
【請求項６】
請求項４記載のブラシレスモータであって、
前記電磁コイルは、磁性体部材を挟んで同極同士が対面した状態で前記磁性体部材にそれぞれ吸引されている２枚の永久磁石で構成される磁石集合体をコア材として備え、
前記磁石集合体の前記２枚の永久磁石は、前記第１及び第２の永久磁石のそれぞれと、互いに異なる極が対向するように配置されている、ブラシレスモータ。
【請求項７】
請求項３記載のブラシレスモータであって、
前記磁束遮蔽部材は、前記電磁コイルのコア材として設けられた第２の永久磁石を含み、
前記第２の永久磁石は、前記第１の永久磁石と互いに異なる極が対向するように設置されている、ブラシレスモータ。
【請求項８】
請求項１〜７のいずれか一項に記載のブラシレスモータであって、
前記第１の永久磁石は、前記第１の永久磁石の磁化方向に沿った寸法を厚みとする板状磁石である、ブラシレスモータ。
【請求項９】
請求項１〜８のいずれか一項に記載のブラシレスモータであって、
前記駆動制御回路は、前記電磁コイルに前記第１の電流方向とは逆の方向に駆動電流を供給することによって、前記ブラシレスモータを前記駆動方向とは逆の方向に動作させる、ブラシレスモータ。
【請求項１０】
請求項１〜９のいずれか一項に記載のブラシレスモータであって、
前記第１の永久磁石は、前記駆動方向と交わる方向に沿って設けられた凹部又は凸部を有する、ブラシレスモータ。
【請求項１１】
請求項１〜１０のいずれか一項に記載のブラシレスモータであって、
前記ブラシレスモータは回転式モータであり、前記駆動方向は回転方向である、ブラシレスモータ。
【請求項１２】
請求項１〜１０のいずれか一項に記載のブラシレスモータであって、
前記ブラシレスモータは直進式モータであり、前記駆動方向は直進方向である、ブラシレスモータ。
【請求項１３】
電子機器であって、
所定の駆動方向に動作可能なブラシレスモータと、
前記ブラシレスモータによって駆動される被駆動部材と、
を備え、
前記ブラシレスモータは、
前記駆動方向に垂直な方向に磁化された第１の永久磁石を含む第１の駆動部材と、
前記第１の駆動部材に対向して設けられ、前記駆動方向と平行な方向を軸に巻き回された電磁コイルを含む第２の駆動部材と、
前記電磁コイルに電力を供給する駆動制御回路と、
を備え、
前記電磁コイルは、前記駆動方向と平行な方向を軸として磁束遮蔽部材の周囲に巻き回されており、
前記駆動制御回路は、前記電磁コイルに供給する電流の方向を変更せずに前記電磁コイルに所定の第１の電流方向の駆動電流を供給することによって、前記ブラシレスモータを前記駆動方向に動作させる、電子機器。
【請求項１４】
請求項記載の電子機器であって、
前記電子機器はプロジェクタである、電子機器。
【請求項１５】
燃料電池使用機器であって、
所定の駆動方向に動作可能なブラシレスモータと、
前記ブラシレスモータによって駆動される被駆動部材と、
前記ブラシレスモータに電源を供給する燃料電池と、
を備え、
前記ブラシレスモータは、
前記駆動方向に垂直な方向に磁化された第１の永久磁石を含む第１の駆動部材と、
前記第１の駆動部材に対向して設けられ、前記駆動方向と平行な方向を軸に巻き回された電磁コイルを含む第２の駆動部材と、
前記電磁コイルに電力を供給する駆動制御回路と、
を備え、
前記電磁コイルは、前記駆動方向と平行な方向を軸として磁束遮蔽部材の周囲に巻き回されており、
前記駆動制御回路は、前記電磁コイルに供給する電流の方向を変更せずに前記電磁コイルに所定の第１の電流方向の駆動電流を供給することによって、前記ブラシレスモータを前記駆動方向に動作させる、燃料電池使用機器。
【手続補正２】
【補正対象書類名】明細書
【補正対象項目名】０００６
【補正方法】変更
【補正の内容】
【０００６】
本発明は、上述の課題の少なくとも一部を解決するためになされたものであり、以下の形態又は適用例として実現することが可能である。
本発明の一形態としてのモータは、
所定の駆動方向に動作可能なブラシレスモータであって、
前記駆動方向に垂直な方向に磁化された第１の永久磁石を含む第１の駆動部材と、
前記第１の駆動部材に対向して設けられ、前記駆動方向と平行な方向を軸に巻き回された電磁コイルを含む第２の駆動部材と、
前記電磁コイルに電力を供給する駆動制御回路と、
を備え、
前記電磁コイルは、前記駆動方向と平行な方向を軸として磁束遮蔽部材の周囲に巻き回されており、
前記駆動制御回路は、前記電磁コイルに供給する電流の方向を変更せずに前記電磁コイルに所定の第１の電流方向の駆動電流を供給することによって、前記ブラシレスモータを前記駆動方向に動作させる、ブラシレスモータである。
このブラシレスモータでは、永久磁石に近い側のコイル部分と永久磁石に遠い側のコイル部分とで駆動力の大きさに差が生じるので、この差に等しい正味の駆動力が発生する。従って、電磁コイルに所定の第１の電流方向の駆動電流を供給することによって、ブラシレスモータを駆動方向に動作させることが可能である。また、磁束遮蔽部材によって永久磁石の磁束が遮蔽されるので、磁束遮蔽部材の外側（磁束遮蔽部材を挟んで永久磁石と反対側）にあるコイル部分（外側コイル部分）には永久磁石の磁束が到達しないので、この外側コイル部分からは駆動力が発生せず、一方、磁束遮蔽部材の内側（磁束遮蔽部材と永久磁石との間）にあるコイル部分（内側コイル部分）からは駆動力が発生する。従って、電磁コイルに供給する電流の方向を変更せずに電磁コイルに所定の第１の電流方向の駆動電流を供給することによって、ブラシレスモータを前記駆動方向に動作させることが可能である。